(57)【要約】【課題】再利用可能な金属製デッキプレートへの取り付けに好適な天井インサートを提供すること。【解決手段】樹脂製中空円筒部（１）とその前端に形成される樹脂製ラッパ状吸盤部（２）とからなる樹脂部品（３）と、この樹脂部品（３）の中空円筒部（１）に後部から圧入される金属製円筒状雌ネジ部（４）とその後端に形成される金属製抜止フランジ部（５）とからなる金属部品（６）とからなることを特徴とする。【選択図】図１
0003180888.tif 000002
【実用新案登録請求の範囲】
【請求項１】
樹脂製中空円筒部（１）とその前端に形成される樹脂製ラッパ状吸盤部（２）とからなる樹脂部品（３）と、この樹脂部品（３）の中空円筒部（１）に後部から圧入される金属製円筒状雌ネジ部（４）とその後端に形成される金属製抜止フランジ部（５）とからなる金属部品（６）とからなることを特徴とする天井インサート（１００）。
【考案の詳細な説明】
【技術分野】
【０００１】
本考案は、ビルの天井となるべきコンクリートスラブの下面に埋め込まれて、天井化粧材等の吊下用ロッド上端部のネジ止用支点として使用される天井インサートに関するものである。
【背景技術】
【０００２】  （公序良俗違反につき、不掲載）先に、伸縮自在な金属製（例えば、鋼板製、アルミ板製）の平坦面形成用型枠材（以下、「デッキプレート」と称する）を提案した（特許文献１参照）。【０００３】
この伸縮自在な金属製デッキプレートは、ハイデッキとは異なり長さ調整が可能であるから、建築現場ごとに梁同士の間隔が異なる場合であっも、どの建築現場にも容易に適合させることができ、そのため、ある現場で使用された型枠材を施工完了後に回収して他の現場で再使用すると言った型枠材の繰り返し再利用が可能となり、この種のスラブ施工工事の費用を著しく節減することができた。
【０００４】
また、このような伸縮自在な金属製デッキプレートは、繰り返し再利用可能であるため、現場にはめ殺しにする必要もなくなり、現場はめ殺しに起因して従来問題視されていた、断面欠損による梁の強度低下の問題、結露生成回避工事の問題、及びスラブを貫通する開口工事の際の問題を一挙に解決することができた。
【０００５】
しかしながら、このような繰り返し再利用可能な金属製デッキプレートは、その材質として、鋼板やアルミ板等の金属板が使用されているため、従前の木製型枠材に適用される釘固定式の天井インサート（例えば、特許文献２参照）では、しっかりと固定できないほか、後日取り外された金属製デッキプレートには釘孔が残されてしまうため、金属製デッキプレートの再利用に支障を来すと言う問題点があった。
【先行技術文献】
【特許文献】
【０００６】
【特許文献１】特開２００４−２５７２２８号公報
【特許文献２】特開平０３−１０８１０５号公報
【考案の概要】
【考案が解決しようとする課題】
【０００７】
この考案は、上述の問題点に着目してなされたものであり、その目的とするところは、上述の再利用可能な金属製デッキプレートへの取り付けに好適な天井インサートを提供することにある。
【課題を解決するための手段】
【０００８】
本項案に係る天井インサート（１００）は、樹脂製中空円筒部（１）とその前端に形成される樹脂製ラッパ状吸盤部（２）とからなる樹脂部品（３）と、この樹脂部品（３）の中空円筒部（１）に後部から圧入される金属製円筒状雌ネジ部（４）とその後端に形成される金属製抜止フランジ部（５）とからなる金属部品（６）とからなることを特徴とする。
【考案の効果】
【０００９】
このような構成によれば、金属製デッキプレートを水平に敷設したのち、本考案に係る天井インサートを吸盤部（２）を吸着させて仮止めした状態において、コンクリートを金属製デッキプレートの上に流し込み、コンリートが固化するのを待って、金属製デッキプレートを取り外すと、本考案に係る天井インサートは、コンクリートスラブ（７）の下面に埋め込まれた状態に残される。デッキプレートと天井インサート（１００）との固定は吸盤部（２）を介して行われるので、取り外されたデッキプレートには、何の跡も残されない。しかも、金属製デッキプレートの表面は非常に平滑であるから、樹脂製吸盤部であっても、両者間の気密性はしっかりと保たれ、十分な固定強度を維持することができる。
【図面の簡単な説明】
【００１０】
【図１】本考案に係る天井インサートの斜視図である。
【図２】本考案に係る天井インサートの正面図及び右側面図である。
【図３】本考案に係る天井インサートの平面図である。
【図４】本考案に係る天井インサートの使用状態図である。
【考案を実施するための形態】
【００１１】
以下に、本考案に係る天井インサートの好適な実施の一形態を添付図面の図１〜図４を参照して詳細に説明する。
【００１２】
図１〜図３に示されるように、本考案に係る天井インサート１００は、樹脂製中空円筒部１とその前端に形成される樹脂製ラッパ状吸盤部２とからなる樹脂部品３と、この樹脂部品３の中空円筒部１に後部から圧入される金属製円筒状雌ネジ部４とその後端に形成される金属製抜止フランジ部５とからなる金属部品６とからなることを特徴とする。
【００１３】
本考案に係る天井インサート１００は、このような構成を有するものであるから、金属製デッキプレート（図示せず）を対応する梁間に水平に架け渡したのち、本考案に係る天井インサート１００を吸盤部２を吸着させて仮止めした状態において、コンクリートを金属製デッキプレートの上に流し込み、コンリートが固化するのを待って、金属製デッキプレートを取り外すと、図４に示されるように、本考案に係る天井インサート１００は、コンクリートスラブ７の下面に埋め込まれた状態に残される。
【００１４】
こうして埋め込まれた天井インサート１００の下面からは、雌ネジ部４のネジ穴が開口しているから、これに吊りボルト８をねじ込み固定することで、天井化粧材９を吊り下げることができる。
【００１５】
デッキプレートと天井インサート１００との固定は吸盤部２を介して行われるので、取り外されたデッキプレートには、何の跡も残されない。そのため、金属製デッキプレートの再利用にはなんの支障もない。しかも、金属製デッキプレートの表面は非常に平滑であるから、樹脂製吸盤部２であっても、両者間の気密性はしっかりと保たれ、十分な吸着強度を維持することができる。
【産業上の利用可能性】
【００１６】
本考案によれば、デッキプレートと天井インサート１００との固定は吸盤部２を介して行われるので、取り外されたデッキプレートには、何の跡も残されない。しかも、金属製デッキプレートの表面は非常に平滑であるから、樹脂製吸盤部であっても、両者間の気密性はしっかりと保たれ、十分な固定強度を維持することができる。
【符号の説明】
【００１７】
１    樹脂製中空円筒部
２    樹脂製ラッパ状吸盤部
３    樹脂部品
４    金属製円筒状雌ネジ部
５    金属製抜止フランジ部
６    金属部品
７    コンクリートスラブ
８    吊りボルト
９    天井化粧材
【図１】
0003180888.tif 000003
【図２】
0003180888.tif 000004
【図３】
0003180888.tif 000005
【図４】
0003180888.tif 000006
【手続補正書】
【提出日】平成24年11月8日(2012.11.8)
【手続補正１】
【補正対象書類名】明細書
【補正対象項目名】０００２
【補正方法】変更
【補正の内容】
【０００２】
特許文献１には、伸縮自在な金属製（例えば、鋼板製、アルミ板製）の平坦面形成用型枠材（以下、「デッキプレート」と称する）が開示されている。